【事件の表示】
　特許第４８３４５７７号に関する訂正審判事件について、次のとおり審決する。
【結　論】
　特許第４８３４５７７号に係る明細書及び特許請求の範囲を本件審判請求書に添付された訂正明細書及び特許請求の範囲のとおり一群の請求項ごとに訂正することを認める。
【理　由】
１　手続の経緯 
　本件特許第４８３４５７７号の請求項１、２に係る発明は、平成１９年３月６日に特願２００７−５５７８４号として出願されたものであって、平成２３年９月３０日にその特許権の設定登録がなされ、平成２６年８月１８日に本件訂正審判の請求がなされたものである。
　さらに、当審において平成２６年１０月１４日付けで訂正拒絶理由を通知したところ、平成２６年１１月４日に意見書及び手続補正書が提出されたところである。
　
２　平成２６年１１月４日付けの手続補正書の適否について
　平成２６年１１月４日付けの手続補正書による補正は、当審が訂正拒絶理由により訂正の要件を満たしていないとした平成２６年８月１８日付け審判請求書の請求の理由における訂正事項１ないし３の一部、及び訂正事項４ないし６を削除するとともに、特許第４８３４５７７号の明細書において、当該削除と整合を図るために、訂正事項７、１０を訂正事項１ないし６の補正内容に合わせて補正するものである。
　これらの補正は、いずれも、訂正事項の削除に係るものであって、請求の要旨を変更するものではなく、特許法第１３１条の２第１項の規定を満たすものである。
　
３　請求の要旨 
　本件審判の請求の要旨は、本件特許第４８３４５７７号の明細書及び特許請求の範囲を審判請求書に添付した訂正明細書及び特許請求の範囲のとおり一群の請求項ごとに訂正することを求めるものであり、訂正内容は次のとおりである（以下、本件特許第４８３４５７７号の明細書、及び特許請求の範囲をそれぞれ「願書に添付した明細書」、「本件特許請求の範囲」といい、同明細書、特許請求の範囲、又は図面に記載した事項を「願書に添付した明細書等」という。また、下線部が訂正部分である。）。　
　
（１）訂正事項１
　本件特許請求の範囲の請求項１における「前記第一の期間に亘って前記演出装置を制御するための情報である第一の期間情報、および前記第一の期間内の所定の第二の期間に亘って前記演出装置を制御するための情報である第二の期間情報を含む複数の期間情報に基づいて、前記演出装置を前記特定の期間に亘って制御する演出制御処理」を、
「前記第一の期間に亘って前記演出装置を制御するための情報である第一の期間情報、および前記第一の期間内の所定の第二の期間に亘って前記演出装置を制御するための情報である第二の期間情報を含む複数の期間情報に基づいて、前記演出装置
を特
　
（２）訂正事項２
　本件特許請求の範囲の請求項１における「前記第一の期間に亘って前記演出装置に第一の演出動作を実行させるための動作情報を前記演出記憶部に設けた第一の記憶部に記憶させる第一の記憶処理」を、
「前記第一の期間に亘って前記演出装置に第一の演出動作を実行させるための動作情報を前記
演算
　
（３）訂正事項３
　本件特許請求の範囲の請求項１における「前記第二の期間に亘って前記演出装置に前記第一の演出動作とは別の第二の演出動作を実行させるための動作情報を前記演出記憶部に設けた第一の記憶部とは別の第二の記憶部に記憶させる第二の記憶処理」を、
「前記第二の期間に亘って前記演出装置に前記第一の演出動作とは別の第二の演出動作を実行させるための動作情報を前記
演算
　
（４）訂正事項７
　願書に添付した明細書の段落【０００７】における「本発明は、遊技を演出する演出制御用に動作するＣＰＵを含む制御回路と、前記ＣＰＵによる演算結果を記憶する演算記憶部と、遊技を演出する演出装置と、前記演出装置を特定の期間に亘って制御するための情報を予め記憶した演出情報記憶部と、を備え、前記特定の期間内の所定の第１の期間に亘って前記演出装置を制御するための情報である第１の期間情報、および前記特定の期間内の所定の第２の期間に亘ぅて前記演出装置を制御するための情報である第２の期間情報を含む複数の期間情報に基づいて、前記演出装置を前記特定の期間に亘って制御する演出制御処理と、前記第１の期間情報に基づいて前記演出装置を前記演出制御処理が制御している期間中に、前記第２の期間情報に基づいた制御の開始タイミングとなった場合には、所定の条件に基づいて、前記演出制御処理が制御に用いる期間情報として前記第１の期間情報または前記第２の期間情報のうちの一方の期間情報を選択する期間情報選択処理と、を前記制御回路に含むことを特徴とする、遊技台である。」を、
　「
（１）
遊技を演出する演出制御用に動作するＣＰＵを含む制御回路と、前記ＣＰＵによる演算結果を記憶する演算記憶部と、遊技を演出する演出装置と、前記演出装置を第一の期間に亘って制御するための情報を予め記憶した演出情報記憶部と、を備え、前記第一の期間に亘って前記演出装置を制御するための情報である第一の期間情報、および前記第一の期間内の所定の第二の期間に亘って前記演出装置を制御するための情報である第二の期間情報を含む複数の期間情報に基づいて、前記演出装置を特定の期間に亘って制御する演出制御処理と、前記第一の期間に亘って前記演出装置に第一の演出動作を実行させるための動作情報を前記演算記憶部に設けた第一の記憶部に記憶させる第一の記憶処理と、前記第二の期間に亘って前記演出装置に前記第一の演出動作とは別の第二の演出動作を実行させるための動作情報を前記演算記憶部に設けた前記第一の記憶部とは別の第二の記憶部に記憶させる第二の記憶処理と、前記第一の記憶部または前記第二の記憶部のうちの一方の記憶部が記憶している動作情報に基づいて、前記演出装置に出力する動作指定情報を生成する動作指定情報生成処理と、前記動作指定情報生成処理が生成した動作指定情報を前記演出装置に出力する動作指定情報出力処理と、を前記制御回路に含み、前記第一の記憶部に前記動作情報を記憶させる第一の記憶処理、および前記第二の記憶部に前記動作情報を記憶させる第二の記憶処理を並列的に実行するように構成され、前記第二の期間の始端は、前記第一の期間の始端よりも時系列的に後であり、前記第二の期間の終端は、前記第一の期間の終端よりも時系列的に前であり、前記動作指定情報生成処理は、前記第一の期間内における前記第二の期間中は前記第二の記憶部が記憶している動作情報に基づいて動作指定情報を生成するように構成され、前記第一の期間内における前記第二の期間の前後の期間中は前記第一の記憶部が記憶している動作情報に基づいて動作指定情報を生成するように構成されている、
　
（５）訂正事項８
　願書に添付した明細書の段落【０００８】における「また、本発明は、遊技を演出する演出制御用に動作するＣＰＵを含む制御回路と、前記ＣＰＵによる演算結果を記憶する演算記憶部と、遊技を演出する演出装置と、前記演出装置を特定の期間に亘って制御するための情報を予め記憶した演出情報記憶部と、を備え、前記特定の期間内の所定の第１の期間に亘って前記演出装置を制御するための情報である第１の期間情報、および前記特定の期間内の所定の第２の期間に亘って前記演出装置を制御するための情報である第２の期間情報を含む複数の期間情報に基づいて、前記演出装置を前記特定の期間に亘って制御する演出制御処理と、前記第１の期間情報に基づいて前記演出装置を前記演出制御処理が制御している期間中に、前記第２の期間情報に基づいた制御の開始タイミングとなった場合には、前記第１の期間情報に基づいた前記演出装置の前記演出制御を中断し、前記第２の期間情報に基づいた前記演出装置の演出制御を開始する時間情報差替処理と、前記時間情報差替処理により前記第１の期間情報から差し替えた前記第２の期間情報に基づく前記演出装置の演出制御が終了した場合には、前記第１の期間情報に基づいた前記演出装置の演出制御を開始する時間情報再開処理と、を前記制御回路に含むことを特徴とする、遊技台である。」を、
　「
（２）
前記第一の演出動作は、前記第一の期間内の一部分の期間に亘って実行され、前記第二の演出動作は、前記第一の期間内の一部分の期間であって、前記第一の演出動作が実行される期間と異なる期間に亘って実行されることを特徴とする、上記（１）記載の
　
（６）訂正事項９
　願書に添付した明細書の段落【０００９】における「また、本発明は、遊技を演出する演出制御用に動作するＣＰＵを含む制御回路と、前記ＣＰＵによる演算結果を記憶する演算記憶部と、遊技を演出する演出装置と、前記演出装置を特定の期間に亘って制御するための情報を予め記憶した演出情報記憶部と、を備え、前記特定の期間内の所定の第１の期間に亘って前記演出装置を制御するための情報である第１の期間情報、および前記特定の期間内の所定の第２の期間に亘って前記演出装置を制御するための情報である第２の期間情報を含む複数の期間情報に基づいて、前記演出装置を前記特定の期間に亘って制御する演出制御処理と、前記特定の期間に亘って前記演出装置に第１の演出動作を実行させるための動作情報を前記演出記憶部に設けた第１の記憶部に記憶させる第１の記憶処理と、前記特定の期間に亘って前記演出装置に前記第１の演出動作とは別の第２の演出動作を実行させるための動作情報を前記演出記憶部に設けた前記第１の記憶部とは別の第２の記憶部に記憶させる第２の記憶処理と、前記第１の記憶部または前記第２の記憶部のうちの一方の記憶部が記憶している動作情報に基づいて、前記演出装置に出力する動作指定情報を生成する動作指定情報生成処理と、前記動作指定情報生成処理が生成した動作指定情報を前記演出装置に出力する動作指定情報出力処理と、を前記制御回路に含むことを特徴とする、遊技台である。」を削除する。
　
（７）訂正事項１０
　願書に添付した明細書の段落【０３８４】における「以上説明したように、本実施例１に係るパチンコ機１００は、遊技を演出する演出制御用に動作するＣＰＵ３５４を含む制御回路（本実施例では基本回路）３５２と、ＣＰＵ３５４による演算結果を記憶する演算記憶部（本実施例ではＲＡＭ）３５８と、遊技を演出する演出装置（本実施例ではスピーカ３６６、音源ＩＣ３６８、各種ランプ（枠ランプ、盤ランプ）３７０、表示回路３７２など）と、演出装置を特定の期間に亘って制御するための情報を予め記憶した演出情報記憶部（本実施例ではＲＯＭ）３５６と、を備え、特定の期間内の所定の第１の期間に亘って演出装置を制御するための情報である第１の期間情報（例えば、差込ＴＣ情報を除くＴＣ情報）、および特定の期間内の所定の第２の期間に亘って演出装置を制御するための情報である第２の期間情報（例えば、差込ＴＣ情報）を含む複数の期間情報に基づいて、演出装置を特定の期間に亘って制御する演出制御処理と、第１の期間情報に基づいて演出装置を演出制御処理が制御している期間中に、第２の期間情報に基づいた制御の開始タイミングとなった場合には、所定の条件に基づいて、演出制御処理が制御に用いる期間情報として第１の期間情報または第２の期間情報のうちの一方の期間情報を選択（図３８の例では、差込ＴＣ情報の期間情報を選択）する期間情報選択処理と、を制御回路３５２に含むことを特徴とする、遊技台である。」を、
　「以上説明したように、
本実施例１に係るパチンコ機１００は、遊技を演出する演出制御用に動作するＣＰＵを含む制御回路と、前記ＣＰＵによる演算結果を記憶する演算記憶部と、遊技を演出する演出装置と、前記演出装置を第一の期間に亘って制御するための情報を予め記憶した演出情報記憶部と、を備え、前記第一の期間に亘って前記演出処理を制御するための情報である第一の期間情報、および前記第一の期間内の所定の第二の期間に亘って前記演出装置を制御するための情報である第二の期間情報を含む複数の期間情報に基づいて、前記演算装置を特定の期間に亘って制御する演出制御処理と、前記第一の期間に亘って前記演出装置に第一の演出動作を実行させるための動作情報を前記演算記憶部に設けた第一の記憶部に記憶させる第一の記憶処理と、前記第二の期間に亘って前記演出装置に前記第一の演出動作とは別の第二の演出動作を実行させるための動作情報を前記演算記憶部に設けた前記第一の記憶部とは別の第二の記憶部に記憶させる第二の記憶処理と、前記第一の記憶部または前記第二の記憶部のうちの一方の記憶部が記憶している動作情報に基づいて、前記演出装置に出力する動作指定情報を生成する動作指定情報生成処理と、前記動作指定情報生成処理が生成した動作指定情報を前記演出装置に出力する動作指定情報出力処理と、を前記制御回路に含み、前記第一の記憶部に前記動作情報を記憶させる第一の記憶処理、および前記第二の記憶部に前記動作情報を記憶させる第二の記憶処理を並列的に実行するように構成され、前記第二の期間の始端は、前記第一の期間の始端よりも時系列的に後であり、前記第二の期間の終端は、前記第一の期間の終端よりも時系列的に前であり、前記動作指定情報生成処理は、前記第一の期間内における前記第二の期間中は前記第二の記憶部が記憶している動作情報に基づいて動作指定情報を生成するように構成され、前記第一の期間内における前記第二の期間の前後の期間中は前記第一の記憶部が記憶している動作情報に基づいて動作指定情報を生成するように構成されていることを特徴とする、遊技台である。
　また、前記第一の演出動作は、前記第一の期間内の一部分の期間に亘って実行され、前記第二の演出動作は、前記第一の期間内の一部分の期間であって、前記第一の演出動作が実行される期間と異なる期間に亘って実行されるものであってもよい。
　
また、
　
４　当審の判断 
（１）訂正事項１について
　本件特許請求の範囲の請求項１の「前記演出装置を前記特定の期間に亘って制御する演出制御処理」において「特定の期間」は「前記」されていないため不明瞭であった。
　当該訂正事項は、「前記特定の期間」を「特定の期間」に訂正するものであるから、特許法第１２６条第１項ただし書き第３号に掲げる、明瞭でない記載の釈明を目的とするものである。
　そして、当該訂正事項は、願書に添付した明細書等のすべてを総合することにより導かれる技術的事項との関係において新たな技術的事項を導入するものではなく、願書に添付した明細書等の範囲内においてされたものである。
　また、当該訂正事項は、訂正の前後で特許請求の範囲に記載された発明の拡張又は変更はないから、実質上特許請求の範囲を拡張し、又は変更するものでもない。
　したがって、当該訂正事項は、特許法第１２６条第５項及び第６項の規定に適合する。　
　
（２）訂正事項２、３について
　本件特許請求の範囲の請求項１の「前記演出記憶部」において「演出記憶部」は「前記」されていないため不明瞭であった。そして、同請求項１に記載された「演算記憶部」、「演出情報記憶部」の中で、第一の演出動作、及び第二の演出動作を実行させるための動作情報を記憶させるのが「演算記憶部」（ＲＡＭ）３５８であることは段落【０３８９】等に記載されている。
　当該訂正事項は、「前記演出記憶部」を「演算記憶部」に訂正するものであるから、特許法第１２６条第１項ただし書き第３号に掲げる、明瞭でない記載の釈明を目的とするものである。
　そして、当該訂正事項は、願書に添付した明細書等のすべてを総合することにより導かれる技術的事項との関係において新たな技術的事項を導入するものではなく、願書に添付した明細書等の範囲内においてされたものである。
　また、当該訂正事項は、訂正の前後で特許請求の範囲に記載された発明の拡張又は変更はないから、実質上特許請求の範囲を拡張し、又は変更するものでもない。
　したがって、当該訂正事項は、特許法第１２６条第５項及び第６項の規定に適合する。
　
（３）訂正事項７ないし１０について
　当該訂正事項は、上記訂正事項１〜３に係る訂正にともなって、特許請求の範囲の記載と発明の詳細な説明の記載との整合を図るため、願書に添付した明細書の記載を訂正後の請求項１、２の内容に合わせて訂正するものであるから、特許法第１２６条第１項ただし書き第３号に掲げる、明瞭でない記載の釈明を目的とするものである。
　そして、当該訂正事項は、願書に添付した明細書等のすべてを総合することにより導かれる技術的事項との関係において新たな技術的事項を導入するものではなく、願書に添付した明細書等の範囲内においてされたものである。
　また、当該訂正事項は、訂正の前後で特許請求の範囲に記載された発明の拡張又は変更はないから、実質上特許請求の範囲を拡張し、又は変更するものでもない。
　したがって、当該訂正事項は、特許法第１２６条第５項及び第６項の規定に適合する。　
　
５　むすび
　以上のとおりであるから、本件訂正審判の請求は、特許法第１２６条第１項ただし書き第３号に掲げる事項を目的とするものであり、かつ、同条第５項及び第６項の規定にも適合する。
　よって、結論のとおり審決する。